(57)【要約】【課題】短時間の掃除のような場合にも、通常掃除の場合にも、いちいちスイッチ操作をしなくても掃除が行なえる使用性の高い電気掃除機を提供することを目的とする。【解決手段】塵埃を掻き出す回転ブラシ１と前記回転ブラシ１を駆動する電動機２を備えた吸込部３と、前記電動機２に生ずる電力を検知する回転検知手段８と、吸引風を発する電動送風機４を備え、前記回転検知手段８が検知した電力に応じて、前記電動送風機４および／または電動機２の入力を制御する電気掃除機で、短時間の掃除の場合にも、通常掃除の場合にも、いちいちスイッチ操作をしなくても掃除が行なえるものである。【選択図】　図１
2004033455.tif 000002
【特許請求の範囲】
【請求項１】
塵埃を掻き出す回転ブラシと前記回転ブラシを駆動する電動機を備えた吸込部と、前記電動機に生ずる電力を検知する回転検知手段と、掃除機本体に内蔵され吸引風を発する電動送風機を備え、前記回転検知手段が検知した電力に応じて、前記電動送風機および／または電動機の入力を制御する電気掃除機。
【請求項２】
回転検知手段が検知した電力に応じて、電動送風機および／または電動機の運転時間を制御する請求項１記載の電気掃除機。
【請求項３】
電動送風機や電動機を停止する信号を発生させる停止設定手段を設け、前記停止設定手段を操作すると前記電動送風機及び前記電動機を停止させる請求項１記載の電気掃除機。
【請求項４】
回転検知手段は、電動機に発生する逆起電力を検知する請求項１〜３のいずれか１項に記載の電気掃除機。
【発明の詳細な説明】
【０００１】
【発明の属する技術分野】
本発明は、電動機を備えた吸込部を有する電気掃除機の制御に関するものである。
【０００２】
【従来の技術】
操作スイッチを設けた電気掃除機について、図３にその斜視図を示す。手元操作部５１に設けられた「強」、「中」または「弱」いずれかのスイッチを操作すると、その設定に応じて掃除機本体５２に内蔵した電動送風機５３が駆動され、同時に吸込部５４に内蔵され被掃除面の塵埃を掻き出す回転ブラシ５５を駆動する電動機５６も駆動されて掃除を行なう。掃除が終れば手元操作部５１の「切」スイッチを操作して、電動送風機５３および電動機５６を停止させる。
【０００３】
【発明が解決しようとする課題】
しかしながら上記従来の構成においては、短時間の掃除の場合にも、いちいち手元操作部５１のスイッチを操作して掃除をし、掃除が終れば「切」スイッチを操作する必要があり、使用性において煩わしさがあった。
【０００４】
本発明は上記課題を解決するもので、短時間の掃除のような場合にも、通常掃除の場合にも、いちいちスイッチ操作をしなくても掃除が行なえる使用性の高い電気掃除機を提供することを目的とする。
【０００５】
【課題を解決するための手段】
前記目的を達成するために本発明は、塵埃を掻き出す回転ブラシと前記回転ブラシを駆動する電動機を備えた吸込部と、前記電動機に生ずる電力を検知する回転検知手段と、掃除機本体に内蔵され吸引風を発する電動送風機を備え、前記回転検知手段が検知した電力に応じて、前記電動送風機および／または電動機の入力を制御する電気掃除機で、短時間の掃除の場合にも、通常掃除の場合にも、いちいちスイッチ操作をしなくても掃除が行なえるものである。
【０００６】
【発明の実施の形態】
本発明の請求項１記載の発明は、塵埃を掻き出す回転ブラシと前記回転ブラシを駆動する電動機を備えた吸込部と、前記電動機に生ずる電力を検知する回転検知手段と、掃除機本体に内蔵され吸引風を発する電動送風機を備え、前記回転検知手段が検知した電力に応じて、前記電動送風機および／または電動機の入力を制御する電気掃除機で、短時間の掃除の場合にも、通常掃除の場合にも、いちいちスイッチ操作をしなくても掃除が行なえるものである。
【０００７】
本発明の請求項２記載の発明は、回転検知手段が検知した電力に応じて、電動送風機および／または電動機の運転時間を制御するもので、停止設定手段も不要にできる。
【０００８】
本発明の請求項３記載の発明は、電動送風機や電動機を停止する信号を発生させる停止設定手段を設け、前記停止設定手段を操作すると前記電動送風機及び前記電動機を停止させるもので、停止設定手段を操作すると電動送風機及び電動機を確実に停止させるものである。
【０００９】
本発明の請求項４記載の発明は、回転検知手段は、電動機に発生する逆起電力を検知するもので、低コストかつ簡単に構成できる。
【００１０】
【実施例】
本発明の一実施例の電気掃除機について説明する。
【００１１】
図１において、１は被掃除面の塵埃を掻き出す回転ブラシ、２は前記回転ブラシ１をベルトやギヤなどを介して（図示せず）駆動する電動機であり、これら回転ブラシ１、ベルトやギヤおよび電動機２は機械的に接続されて吸込部３に内蔵されている。４は吸引風を発生する電動送風機である。５は前記電動機２との間に直列に接続した電力型固定抵抗器であり、ここでは２Ｗ１Ωを用いている。６は直流電源手段７（出力電圧５Ｖ）と前記電力型固定抵抗器５との間に接続した固定抵抗器であり、ここでは０．５Ｗ１００Ωを用いている。そしてこれら電力型固定抵抗器５および固定抵抗器６により、前記回転ブラシ１の回転の有無、さらには回転状態（回転数やその変化など）をも検知する回転検知手段８を構成している。制御手段９には、この回転検知手段８の出力（電力型抵抗器５と固定抵抗器６の接続点の電位Ｖ０：直流電源手段７の電圧を電力型抵抗器５と固定抵抗器６とで分圧した電圧）が入力されている。これら電動送風機４、直流電源手段７および回転検知手段８は掃除機本体１０に内蔵されている。
【００１２】
上記構成による作用は以下の通りである。
【００１３】
まず使用されていない（吸込部３が放置されている）場合の回転検知手段８の出力Ｖ０（これをＶ０ａとする）は、
Ｖ０ａ＝（直流電源手段７の出力電圧）×（電力型固定抵抗器５の抵抗値）÷（（電力型固定抵抗器５の抵抗値）＋（固定抵抗器６の抵抗値））で
Ｖ０ａ＝５×ｘ÷（１＋１００）
となり、Ｖ０ａはほとんど５Ｖである。
【００１４】
次に掃除を始めようとして、吸込部３を前後に移動させると吸込部３に内蔵された回転ブラシ１は被掃除面との摩擦により回転を行うため、回転ブラシ１に機械的に接続されている電動機２内の回転子（図示せず）が回転して発電作用により逆起電力が発生する。（電動機が発電機となっている状態）すなわち、電力型固定抵抗器５と固定抵抗器６との接続点の電位である回転検知手段８の出力Ｖ０は変化する。
【００１５】
例えば逆起電力により１Ｖの電圧が発生したとすると、回転検知手段８の出力Ｖ０（これをＶ０ｂとする）は、
Ｖ０ｂ＝　５Ｖ±１Ｖ　＝　４Ｖ　または　６Ｖ
（±になるのは、電動機３の回転方向つまり吸込部の移動方向による）
となる。
【００１６】
制御手段９には過電圧入力保護がなされているので、５Ｖ以上の電圧は判別できない。つまりＶ０ｂとして４Ｖの電圧を検知することにより、吸込部３が操作されたことが回転検知手段８の出力により検知できる、制御手段９は電動送風機４や電動機２の駆動信号を出力することにより、スイッチを操作しなくても掃除を開始できる。
【００１７】
ところで、吸込部３の押し付け方やその移動速度によって逆起電力の大きさや発生度合い、つまり回転ブラシ１の回転状態は異なり、実際には上記のようにＶ０が一定になっているわけではない。例えば、吸込部３を被掃除面に軽く押し付けて前後移動させた場合には逆起電力は小さい。ゆっくりと操作した場合には、逆起電力の発生度合いは小さい。
【００１８】
図２に回転検知手段８の出力電圧Ｖ０の波形としてそれらを示す。つまり、回転検知手段８の出力Ｖ０をある程度の時間計測することによって、吸込部３の操作状況を検知することができ、これによって電動送風機４や電動機２の入力や運転時間を制御することができる。
【００１９】
例えば軽くゆっくりと吸込部３を操作している場合には、低入力で短時間だけ電動送風機４や電動機２を駆動し、反対にしっかり押し付けて速く吸込部３を操作している場合には、高入力でやや長時間電動送風機４や電動機２を駆動することができる。
【００２０】
また、１１は電動送風機４や電動機２を停止させる設定を行なう停止設定手段で、この出力は制御手段９に入力されている。吸込部３を前後移動させて電動送風機４や電動機３が運転した状態で、この停止設定手段１１を操作すると、制御手段９は電動送風機４、電動機３の運転を停止させる。
【００２１】
【発明の効果】
本発明によれば、短時間の掃除のような場合にも、通常掃除の場合にも、いちいちスイッチ操作をしなくても掃除が行なえる使用性の高い電気掃除機を提供できる。
【図面の簡単な説明】
【図１】本発明の一実施例を示す電気掃除機のブロック図
【図２】（ａ）同吸込部の被掃除面への押し付け方の違いによる回転検知手段の電圧波形を示す図
（ｂ）同吸込部の被掃除面における動かし方の違いによる回転検知手段の電圧波形を示す図
（ｃ）同吸込部を動かさないときの回転検知手段の電圧波形を示す図
【図３】従来の電気掃除機の斜視図
【符号の説明】
１　回転ブラシ
２　電動機
３　吸込部
４　電動送風機
８　回転検知手段
【図１】
2004033455.tif 000003
【図２】
2004033455.tif 000004
【図３】
2004033455.tif 000005